(57)【要約】  【課題】  生体情報測定装置とそれを用いた生体情報測定システムに関するもので、使い勝手を良くすることを目的とするものである。  【解決手段】  この目的を達成するために、本体ケース１と、この本体ケース１内に設けた測定部と、バイオセンサが着脱自在に装着される前記測定部の測定端子２と、本体ケース１の測定端子２と対向する部分にバイオセンサ４の挿入口５とを設け、さらに、この挿入口５におけるバイオセンサの挿入方向奥側には、バイオセンサ４の先端を、測定端子２側に導く突起６を設けたものである。【選択図】  図６
2010194022.tif 000002
【特許請求の範囲】
【請求項１】
本体ケースと、
この本体ケース内に設けた測定部と、
バイオセンサが着脱自在に装着される、前記測定部の測定端子と、
前記本体ケースのうち、測定端子と対向する部分に設けられた、前記バイオセンサの挿入口と、を備え、
この挿入口における、前記バイオセンサの挿入方向の奥側には、前記バイオセンサの先端を、前記測定端子側に導く突起を設けた生体情報測定装置。
【請求項２】
前記突起は、挿入口の挿入方向の奥側に向けて、前記挿入口の開口が狭くなる方向への傾斜部を有する請求項１に記載の生体情報測定装置。
【請求項３】
前記突起は、バイオセンサの本体よりも硬くした請求項１または２に記載の生体情報測定装置。
【請求項４】
請求項１から３のいずれか一つに記載の生体情報測定装置と、
この生体情報測定装置の挿入口に、その先端部が挿入されるバイオセンサと、を備え、
前記バイオセンサは、長方形板状の本体と、
この本体の先端部に設けた接続端子と、
この本体の後端側に設けた検体収容部と、を有し、
前記バイオセンサの本体の接続端子後方側には、
生体情報測定装置の突起側に突出するカバーを設けた生体情報測定システム。
【請求項５】
カバーの先端側は、ほぼ直角に接続端子側に垂下させた請求項４に記載の生体情報測定システム。
【請求項６】
長方形板状の本体は、上下の長方形板状体により構成し、
上方の長方形板状体は、下方の長方形板状体よりも肉厚を厚くした請求項４または５に記載の生体情報測定システム。
【発明の詳細な説明】
【技術分野】
【０００１】
本発明は、例えば、血糖値を測定する生体情報測定装置とそれを用いた生体情報測定システムに関するものである。
【背景技術】
【０００２】
従来のこの種の生体情報測定装置の構成は、以下のようなものとなっていた。即ち、本体ケースと、この本体ケース内に設けた測定部と、バイオセンサが着脱自在に装着される測定部の測定端子と、本体ケースのうち測定端子に対向する部分に設けられたバイオセンサの挿入口と、を有する構成となっていた。
【０００３】
そして、挿入口から長方形板状のバイオセンサを挿入し、それにより、例えば血糖値を測定するようになっていた（例えば、特許文献１参照）。
【特許文献１】国際公開第２００８／０１６１３７号パンフレット
【発明の開示】
【発明が解決しようとする課題】
【０００４】
上記従来例における課題は、使い勝手が悪いということであった。即ち、バイオセンサは、長方形板状の本体と、この本体の先端部に設けた接続端子と、この本体の後端側に設けた検体収容部とを有し、まずは、接続端子を生体情報測定装置の本体ケースに設けた挿入口へ挿入し、次に、このバイオセンサの検体収容部に血液を点着収容させ、これにより、生体情報測定装置の測定部で血糖値の測定を行っていた。
【０００５】
ここで、バイオセンサの本体は、上述の如く長方形板状となっており、これを挿入口に挿入する際に、斜めに挿入してしまった場合、このバイオセンサの接続端子を生体情報測定装置の測定端子に接続することが出来ず、使い勝手の悪いものであった。
【０００６】
これは、バイオセンサの装着をし易い様に、挿入口をバイオセンサのサイズより大きくしていることにより、バイオセンサと挿入口との間に空間が生じるためである。
【０００７】
特にバイオセンサは板状であるため、その板状の広い面に対向する面の空間が大きくなり、装着時に斜めに挿入する可能性がでてくることになる。
【０００８】
そこで本発明は、上記の課題を考慮し、使い勝手を向上させることを目的とする。
【課題を解決するための手段】
【０００９】
そしてこの目的を達成するために、本発明は、本体ケースと、この本体ケース内に設けた測定部と、この測定部の測定端子と、前記本体ケースの測定端子と対向する部分に設けられたバイオセンサの挿入口と、この挿入口の挿入奥側に、前記バイオセンサの先端を、前記測定端子側に導く突起を設け、これにより、所期の目的を達成するものである。
【発明の効果】
【００１０】
以上の如く、本発明によれば、本体ケースに設けた挿入口の奥側には、バイオセンサの先端を、測定端子側に導く突起を設けたものであるので、バイオセンサを挿入する際に、斜めに挿入してしまった場合であっても、その先端の接続端子を生体情報測定装置の測定端子側へと突起により導くことが出来る。このため極めて使い勝手の良いものとなる。
【発明を実施するための最良の形態】
【００１１】
以下、本発明の一実施形態として携帯型血糖値測定器に適用したものを、図面を用いて説明する。
【００１２】
図１は、本実施形態の生体情報測定装置の外観を示す斜視図である。図１で示す生体情報測定装置は、本体ケース１と、この本体ケース１内に設けた測定部（図示せず）、及びこの測定部の測定端子２（図２参照）と、本体ケース１の上面に設けた表示部３などを備えている。
【００１３】
図２は、本体ケース１に設けられた挿入口５の周辺の断面を示す要部断面図である。図２において、前記本体ケース１内に設けられた測定端子２に対向する部分には、バイオセンサ４の挿入口５を設けており、この挿入口５の挿入奥側には、前記バイオセンサ４の先端を、前記測定端子２側に導く突起６を設けている。
【００１４】
ここでは、挿入口５の入り口側（図２において、左方向からバイオセンサ４を挿入し、挿入口５の奥にあり測定部と接続されている測定端子２の場所まで差し入れることにより、バイオセンサ４に設けられた接続端子８（図３参照）と前記測定端子２が接触し、測定部とバイオセンサ４が電気的に接続される。これにより、バイオセンサを使用したグルコース濃度測定などの生体情報を測定することができる。
【００１５】
次に、バイオセンサ４について、図３から図５を使用して説明する。図３は、バイオセンサ４の平面図、図４はバイオセンサ４の正面図であり、図５は図４の点線部分Ｖを拡大した要部の正面図である。
【００１６】
バイオセンサ４は、図３から図５に示すように、長方形板状の本体７と、この本体７の先端部に設けた接続端子８と、この本体７の後端側に設けた検体収容部９とを有している。
ここで、接続端子８は、バイオセンサ４の検体収納部９に設けられている生体情報を測定するための検出電極（図示せず）を導出させたものである。この検出電極上には前記検体収納部９に導入された生体試料（例えば皮膚から採取された血液など）と電気化学的反応を起こす試薬（図示せず）が搭載されており、その試薬と生体試料との電気化学反応により発生した電気信号を前記検出電極で検出し、接続端子８及び測定端子２経由で、前記本体ケース１内部に設けた測定部に接続され、測定・検査が行なわれる。
【００１７】
検出電極、接続端子８及び測定端子２はそれぞれ1つとは限らず複数の電極または端子から構成されている。バイオセンサ４の長方形板状の本体７は、図４及び図５に示すように、具体的には、上下の長方形板状体７ａ及び７ｂを貼りあわせて形成したものであり、上方（図４及び図５において、上側）の長方形板状体７ａの長さを下方（図４及び図５において、下側）の長方形板状体７ｂの長さよりも短くすることで、前記接続端子８が上方側に表出している。また、この上方の長方形板状体７ａの後端側を切り欠くことで、検体収容部９が形成されている（図3及び図４参照）。
【００１８】
さて、このような構成となったバイオセンサ４を、図２のごとく、挿入口５からその先端側を挿入する。その状態の断面を拡大して示したのが図６であって、この場合、バイオセンサ４を挿入口５に対して斜めに挿入してしまっている（図６において、バイオセンサ４を構成する長方形板状の本体７が、水平より傾いて、左下から右上方向に挿入されている）。
【００１９】
本実施形態においては、上述の如く、挿入口５の挿入奥側に突起６を設けており、この突起６は、この図６からも理解されるように、挿入口５の挿入奥側に向けて、開口が狭くなる方向（図６において、下方に）への傾斜部６ａを有している。このため、斜めに挿入されたバイオセンサ４の先端は、まずは、この傾斜部６ａに沿って下方へと導かれることとなる。
【００２０】
そしてこのように、バイオセンサ４の先端が下方に導かれる状態を測定者が感じると、その状態で、測定者はバイオセンサ４を斜めに挿入していることに気付き、水平方向への挿入へと修正することになる。この結果、バイオセンサ４の接続端子８を生体情報測定装置の測定端子２にスムーズに接続することが出来る。
【００２１】
また、この斜め挿入を気付かない測定者があったとしても、図６に示す如く、バイオセンサ４の接続端子８の後方に位置する上方の長方形体板状体７ａの先端部が、突起６の傾斜部６ａに当接することで、再びこのバイオセンサ４の先端は、下方へと導かれ、その結果として、最終的には、バイオセンサ４は水平に修正され、バイオセンサ４の接続端子８を生体情報測定装置の測定端子２にスムーズに接続することが出来る。
【００２２】
ここで、突起６の傾斜部６ａに当接する長方形板状体７ａについて説明する。まず、この長方形板状体７ａの先端部は、図５、図６からも理解されるように、下方に向けて垂下した状態となっている。また、突起６は、例えば、ＡＢＳ樹脂で形成し、ＰＥＴで形成されたバイオセンサ４の長方形板状体７ａよりも硬い材質のもので形成されている。このため、バイオセンサ４が斜めの状態のまま挿入が継続された場合には、この長方形板状体７ａの先端上部が、傾斜部６ａに線状に当接するため非常に摩擦は少なく、滑るように下方へと導かれることになり、この結果として、バイオセンサ４の接続端子８を生体情報測定装置の測定端子２にスムーズに接触させることが出来るのである。
【００２３】
なお、この上方の長方形板状体７ａは、下方の長方形板状体７ｂよりも肉厚を厚くしており、従って、上記傾斜部６ａに当接する位置が長方形板状体７ａ以外の部分より高くなるように、高さを十分に確保することにより、当接する部分は、前記傾斜部６ａと長方形板状体７ａの先端部のみの線状となり、前記長方板状体７ａ以外の部分は当接しなくなるため、接触摩擦抵抗も非常に小さいものとなり、それにより先端側を下方へと適切に導くことが出来るのである。
【産業上の利用可能性】
【００２４】
以上の如く、本発明は、バイオセンサの挿入口挿入奥側には、バイオセンサの先端を、測定端子側に導く突起を設けたものであるので、バイオセンサを挿入する際に、斜めに挿入してしまった場合であっても、その先端の接続端子を測定端子側へと突起により導くことが出来る。
【００２５】
従って、極めて使い勝手の良いものとなるため、各種生体情報測定装置として、広く活用が期待されるものである。
【図面の簡単な説明】
【００２６】
【図１】本発明の一実施形態の生体情報測定装置の外観斜視図
【図２】同、要部断面図
【図３】本発明の一実施形態に用いるバイオセンサの平面図
【図４】同、正面図
【図５】同、要部（図４のＶ部）要部拡大正面図
【図６】本発明の一実施形態の生体情報測定システムの要部拡大断面図
【符号の説明】
【００２７】
１  本体ケース
２  測定端子
３  表示部
５  挿入口
６  突起
６ａ  傾斜部
４  バイオセンサ
７  同、長方形板状の本体
７ａ、７ｂ  同、長方形板状体
８  同、接続端子
９  同、検体収容部
【図１】
2010194022.tif 000003
【図２】
2010194022.tif 000004
【図３】
2010194022.tif 000005
【図４】
2010194022.tif 000006
【図５】
2010194022.tif 000007
【図６】
2010194022.tif 000008